(57)【要約】【課題】３−ヨード−２−プロピニルブチルカルバメートなどのヨウ素系化合物の熱安定性および取扱い性に優れる工業用殺菌組成物を提供すること。【解決手段】工業用殺菌組成物として、３−ヨード−２−プロピニル−Ｎ−ブチルカルバメートなどのヨウ素系化合物、および、アルミナ成分が１１重量％以下のタルクと、必要により、ジアルキルスルホコハク酸塩などのアニオン系界面活性剤とを含有させる。本発明の工業用殺菌組成物は、ヨウ素化合物の熱安定性が向上し、また、粉立ちが少なく流動性が向上するので、安全性や取扱い性の向上を図ることができる。【選択図】    なし【特許請求の範囲】
【請求項１】
ヨウ素系化合物、および、アルミナ成分が１１重量％以下のタルクを含有することを特徴とする、工業用殺菌組成物。
【請求項２】
さらに、界面活性剤を含有することを特徴とする、請求項１に記載の工業用殺菌組成物。
【請求項３】
前記ヨウ素系化合物が、３−ヨード−２−プロピニルブチルカルバメートであることを特徴とする、請求項１に記載の工業用殺菌組成物。
【請求項４】
前記界面活性剤が、アニオン系界面活性剤であることを特徴とする、請求項２または３に記載の工業用殺菌組成物。
【請求項５】
前記アニオン系界面活性剤が、ジアルキルスルホコハク酸塩であることを特徴とする、請求項４に記載の工業用殺菌組成物。
【発明の詳細な説明】
【０００１】
【発明の属する技術分野】
本発明は、工業用殺菌組成物、詳しくは、細菌、かび、酵母、藻の防除剤として用いられる工業用殺菌組成物に関する。
【０００２】
【従来の技術】
従来より、製紙パルプ工場、冷却水循環工程などの種々の産業用水や、切削油などの金属加工用油剤、カゼイン、澱粉糊、にかわ、塗工紙、紙用塗工液、表面サイズ剤、塗料、接着剤、合成ゴムラテックス、インキ、ポリビニルアルコールフィルム、塩化ビニルフィルム、樹脂製品、セメント混和剤、シーリング剤、目地剤などの各種工業製品には、細菌、かび、酵母、藻などの有害な微生物が繁殖しやすく、生産性や品質の低下、悪臭の発生などの原因となっている。そのため、このような有害微生物を殺菌するために、種々の工業用殺菌組成物が広く使用されている。
【０００３】
この工業用殺菌組成物としては、例えば、３−ヨード−２−プロピニルブチルカルバメートが優れた防除効果を発現することから、広く使用されている。
【０００４】
しかし、３−ヨード−２−プロピニルブチルカルバメートは、分解しやすく、また、ブロッキング性（凝集性）を有するため、例えば、特開平２−１６４８０３号公報には、３−ヨード−２−プロピニルブチルカルバメートにホワイトカーボンを配合して、３−ヨード−２−プロピニルブチルカルバメートの分解を抑制することが提案されており、また、例えば、特開２０００−２７３００８号公報には、微粒子化された３−ヨード−２−プロピニルブチルカルバメートにホワイトカーボンを配合して、ブロッキング性を改良することが提案されている。
【０００５】
さらに、特開２００１−２７０８０４号公報では、３−ヨード−２−プロピニルブチルカルバメートと、ホワイトカーボン、シリカ質ケイソウ土、または炭酸カルシウムなどの固体担体とを、加熱下で混合することにより、３−ヨード−２−プロピニルブチルカルバメートのブロッキング性を改良することが提案されている。
【０００６】
【特許文献１】
特開平２−１６４８０３号公報
【特許文献２】
特開２０００−２７３００８号公報
【特許文献３】
特開２００１−２７０８０４号公報
【発明が解決しようとする課題】
しかるに、上記の提案によれば、３−ヨード−２−プロピニルブチルカルバメートのブロッキング性などを改良することはできるが、例えば、３−ヨード−２−プロピニルブチルカルバメートにホワイトカーボンを配合した製剤を、室温より高温で保管すると、分解や変色を生じ、また、取扱いにおいては、粉立ちが多いため、安全性の低下やハンドリング不良を生じるなどの不具合がある。
【０００７】
そこで、本発明はこのような不具合に鑑みなされたもので、その目的とするところは、３−ヨード−２−プロピニルブチルカルバメートなどのヨウ素系化合物の熱安定性および取扱い性に優れる工業用殺菌組成物を提供することにある。
【０００８】
【課題を解決するための手段】
上記目的を達成するために、本発明者らは、３−ヨード−２−プロピニルブチルカルバメートなどのヨウ素系化合物の熱安定性および取扱い性について鋭意検討したところ、３−ヨード−２−プロピニルブチルカルバメートなどのヨウ素系化合物に、アルミナ成分が１１重量％以下のタルクを配合することにより、優れた熱安定性、粉立ちおよび流動性を発現し得る知見を見い出し、さらに研究を進めた結果、本発明を完成するに至った。
【０００９】
すなわち、本発明は、
（１）  ヨウ素系化合物、および、アルミナ成分が１１重量％以下のタルクを含有することを特徴とする、工業用殺菌組成物、
（２）  さらに、界面活性剤を含有することを特徴とする、前記（１）に記載の工業用殺菌組成物、
（３）  前記ヨウ素系化合物が、３−ヨード−２−プロピニルブチルカルバメートであることを特徴とする、前記（１）に記載の工業用殺菌組成物、
（４）  前記界面活性剤が、アニオン系界面活性剤であることを特徴とする、前記（２）または（３）に記載の工業用殺菌組成物、
（５）  前記アニオン系界面活性剤が、ジアルキルスルホコハク酸塩であることを特徴とする、前記（４）に記載の工業用殺菌組成物
を提供するものである。
【００１０】
【発明の実施の形態】
本発明の工業用殺菌組成物は、ヨウ素系化合物と、アルミナ成分が１１重量％以下のタルクとを含有している。
【００１１】
本発明において、ヨウ素系化合物としては、例えば、３−ヨード−２−プロピニルブチルカルバメート、ｐ−クロロフェニル−３−ヨードプロパルギルフォルマール、１−［［（３−ヨード−２−プロピニル）オキシ］メトキシ］−４−メトキシベンゼンなどのヨードアセチレン系化合物、ヨードアセトアミドなどのヨードアセトアミド系化合物、例えば、２，３，３−トリヨードアリルアルコールなどのヨードアリルアルコール系化合物、ジヨードメチル−ｐ−トリルスルフォンなどのヨードトリルスルフォン系化合物、３−ブロモ−２，３−ジヨード−２−プロペニルエチルカーボネートなどのヨードカーボネート系化合物などが挙げられる。好ましくは、ヨードアセチレン系化合物、さらに好ましくは、３−ヨード−２−プロピニルブチルカルバメートが挙げられる。これらヨウ素系化合物は、単独で用いてもよく、また、２種以上を併用してもよい。
【００１２】
タルクは、ＳｉＯ２およびＭｇＯを主成分とするマグネシウムの含水ケイ酸塩鉱物であって、通常、石灰アルミナを含有している。本発明において、タルクは、アルミナ成分が１１重量％以下、好ましくは、５．０重量％以下、さらに好ましくは、２．５重量％以下のものが用いられる。アルミナ成分がこのような含有量であれば、ヨウ素系化合物の熱安定化を図ることができるとともに、粉立ちが少なく、流動性が良好な工業用殺菌組成物を調製することができる。
【００１３】
このような、アルミナ成分が１１重量％以下のタルクは、その産地などが限定されず、商業的に入手可能なものを用いることができる。また、アルミナ成分が１１重量％を超えるタルクを入手した後に、公知の方法により精製し、アルミナ成分を１１重量％以下としたものを用いてもよい。
【００１４】
なお、アルミナ成分はタルク中に含有されずともよく、含有されている場合には、上記１１重量％を上限として、その下限が、例えば、０．０１重量％（すなわち、０．０１〜１１重量％）とされる。
【００１５】
また、タルクの平均粒子径が、例えば、１〜５０μｍ、さらには、５〜２５μｍであることが好ましい。
【００１６】
また、本発明の工業用殺菌組成物では、さらに界面活性剤を含有していることが好ましい。界面活性剤を含有させることで、さらなる流動性の向上を図ることができる。
【００１７】
界面活性剤としては、例えば、石鹸類、ノニオン系界面活性剤、アニオン系界面活性剤、カチオン系界面活性剤、両イオン系界面活性剤、高分子界面活性剤など、公知の界面活性剤が挙げられる。好ましくは、アニオン系界面活性剤が挙げられる。
【００１８】
アニオン系界面活性剤としては、例えば、脂肪族モノカルボン酸塩、ポリオキシエチレンアルキルエーテルカルボン酸塩、Ｎ−アルシルサルコシン塩、Ｎ−アシルグルタミン酸塩などのカルボン酸型アニオン系界面活性剤、例えば、ジアルキルスルホコハク酸塩、アルカンスルホン酸塩、アルファオレフィンスルホン酸塩、アルキルベンゼンスルホン酸塩、ポリナフチルメタンスルホン酸塩、アルキルナフタレンスルホン酸塩、Ｎ−メチル−Ｎ−アシルタウリン酸塩などのスルホン酸型アニオン系界面活性剤、例えば、アルキル硫酸エステル塩、ポリオキシエチレンアルキルエーテル硫酸塩、油脂硫酸エステル塩などの硫酸エステル型アニオン系界面活性剤、例えば、アルキルリン酸塩、ポリオキシエチレンアルキルエーテルリン酸塩、ポリオキシエチレンアルキルフェニルエーテルリン酸塩などのリン酸エステル型アニオン系界面活性剤などが挙げられる。また、これらの塩としては、例えば、ナトリウム塩、カリウム塩、マグネシウム塩などの金属塩が挙げられる。
【００１９】
本発明において、アニオン系界面活性剤として、好ましくは、スルホン酸型アニオン系界面活性剤、さらに好ましくは、ジアルキルスルホコハク酸塩が挙げられる。ジアルキルスルホコハク酸塩を用いることにより、熱安定性および流動性のさらなる向上を図ることができる。
【００２０】
なお、このようなジアルキルスルホコハク酸塩は、例えば、ニューカルゲンＥＰ−６０Ｐ、ニューカルゲンＥＰ−７０Ｇ、ニューカルゲンＥＸ−７０（以上、竹本油脂社製）、ネオコールＳＷ−Ｃ、ネオコールＹＳＫ（以上、第一工業製薬社製）、エアロールＣＴ−１（東邦化学社製）、サンモリンＯＴ−７０（三洋化成社製）、ＤＯＳ−７５Ｐ（日本油脂社製）、ペレックスＯＴ−Ｐ、ペレックスＴＲ、ペレックスＣＳ、ペレックスＴＡ（以上、花王社製）などの商業的に入手可能なものを用いることができる。
【００２１】
そして、本発明の工業用殺菌組成物は、これらヨウ素系化合物、アルミナ成分が１１重量％以下のタルク、および、必要により界面活性剤を、例えば、ヨウ素系化合物１００重量部に対して、アルミナ成分が１１重量％以下のタルクを１０〜１０００重量部、好ましくは、２０〜５００重量部、界面活性剤を０．１〜１０重量部、好ましくは、０．２〜８．０重量部、さらに好ましくは、０．３〜５．０重量部の割合で配合することにより、調製することができる。
【００２２】
また、各成分の配合は、特に制限されないが、例えば、ニーダー、リボンミキサー、ナウターミキサー、ドラムミキサーおよびＶ字混合機などの公知の混合機を用いて、乾式混合または湿式混合すればよい。
【００２３】
このようにして調製される本発明の工業用殺菌組成物は、その目的および用途に応じて、さらに粉砕することにより、所望の粒径の粒剤または粉剤に調製してもよい。この粉砕については、特に制限されないが、例えば、ピンミル、ジェットミル、ハンマーミルおよびカッターミルなどの公知の粉砕機を用いて、乾式粉砕または湿式粉砕すればよい。
【００２４】
このような混合および粉砕により、本発明の工業用殺菌組成物は、粒剤として用いる場合には、その平均粒子径を、例えば、６０〜１７００μｍ、さらには、２００〜１０００μｍに調製し、粉剤として用いる場合には、その平均粒子径を、例えば、１０〜２００μｍ、さらには、１０〜１００μｍに調製することが好ましい。
【００２５】
また、本発明の工業用殺菌組成物の調製においては、各成分の混合および粉砕を同時に実施してもよい。各成分の混合および粉砕を同時に実施するには、特に制限されないが、例えば、上記した粉砕機を用いて、乾式または湿式により同時に混合粉砕すればよい。
【００２６】
また、本発明の工業用殺菌組成物は、その優れた効果（熱安定性および取扱い性）を阻害しない範囲において、その目的および用途に応じて、公知の添加剤、例えば、希釈剤、流動助剤、分散剤、酸化防止剤、他の防かび剤および／または防藻剤、防腐剤、共力剤などを添加してもよい。
【００２７】
なお、このような添加剤は、上記した各成分の配合時に添加すればよい。
【００２８】
希釈剤としては、例えば、トウモロコシ穂軸、クルミ殻、粉末セルロース、澱粉、デキストリン、糖類、大豆粉、タバコ粉、小麦粉、木粉などの植物性粉末類、例えば、カオリン、ベントナイト、酸性白土などのクレー類、例えば、滑石粉、ロウ石粉などのタルク類、例えば、硅藻土、ラジオライト、雲母粉などのシリカ類、その他、炭酸カルシウム、硫黄粉末、活性炭などの固体担体が挙げられる。これら希釈剤は、単独で用いてもよく、２種以上併用してもよい。
【００２９】
流動助剤としては、例えば、ホワイトカーボンなどが挙げられる。
【００３０】
分散剤としては、例えば、エチレングリコール、グリセリンなどが挙げられる。これら分散剤は、単独で用いてもよく、２種以上併用してもよい。
【００３１】
酸化防止剤としては、たとえば、２，６−ジ−ｔ−ブチル−４−メチルフェノール、２，２’−メチレンビス［４−メチル−６−ｔ−ブチルフェノール］などのフェノール系酸化防止剤、例えば、アルキルジフェニルアミン、Ｎ，Ｎ’−ジ−ｓ−ブチル−ｐ−フェニレンジアミンなどのアミン系酸化防止剤などが挙げられる。これら酸化防止剤は、単独で用いてもよく、２種以上併用してもよい。
【００３２】
なお、これら希釈剤、流動助剤、分散剤および酸化防止剤は、例えば、本発明の工業用殺菌組成物１００重量部に対して０．１〜３０重量部添加される。
【００３３】
他の防かび剤および／または防藻剤としては、例えば、α−［２−（４−クロロフェニル）エチル］−α−（１，１−ジメチルエチル）−１Ｈ−１，２，４−トリアゾール−１−エタノール（慣用名：テブコナゾール）、１−［［２−（２，４−ジクロロフェニル）−４−ｎ−プロピル−１，３−ジオキソラン−２−イル］メチル］−１Ｈ−１，２，４−トリアゾール（慣用名：プロピコナゾール）、１−［［２−（２，４−ジクロロフェニル）−１，３−ジオキソラン−２−イル］メチル］−１Ｈ−１，２，４−トリアゾール（慣用名：アザコナゾール）、α−（４−クロロフェニル）−α−（１−シクロプロピルエチル）−１Ｈ−１，２，４−トリアゾール−１−エタノール（慣用名：シプロコナゾール）などのトリアゾール系化合物、例えば、４，５−ジクロロ−１，２−ジチオール−３−オンなどのジチオール系化合物、例えば、３，３，４，４−テトラクロロテトラヒドロチオフェン−１，１−ジオキシドなどのチオフェン系化合物、例えば、テトラメチルチウラムジスルフィドなどのチオカーバメート系化合物、例えば、２，４，５，６−テトラクロロイソフタロニトリルなどのニトリル系化合物、例えば、Ｎ−（フルオロジクロロメチルチオ）−フタルイミドおよびＮ−（フルオロジクロロメチルチオ）−Ｎ、Ｎ’−ジメチル−Ｎ−フェニル−スルファミドなどのハロアルキルチオ系化合物、例えば、２，３，５，６−テトラクロロ−４−（メチルスルフォニル）ピリジンなどのピリジン系化合物、例えば、ジンクピリチオンおよびナトリウムピリチオンなどのピリチオン系化合物、例えば、２−（４−チオシアノメチルチオ）ベンゾチアゾールなどのベンゾチアゾール系化合物、例えば、２−メチルチオ−４−ｔ−ブチルアミノ−６−シクロプロピルアミノ−ｓ−トリアジンなどのトリアジン系化合物、例えば、３−（３，４−ジクロロフェニル）−１，１−ジメチルウレアなどの尿素系化合物、例えば、メチル−２−ベンズイミダゾールカルバメート、メチル−２−ベンズイミダゾールカルバメート塩酸塩、２−（４−チアゾリル）−ベンズイミダゾールなどのイミダゾール系化合物、例えば、２−ｎ−オクチル−４−イソチアゾリン−３−オン、４、５−ジクロロ−２−ｎ−オクチル−４−イソチアゾリン−３−オンなどのイソチアゾリン系化合物などが挙げられる。これら他の防かび剤および／または防藻剤は、単独で用いてもよく、２種以上併用してもよい。
【００３４】
また、これら他の防かび剤および／または防藻剤は、例えば、本発明の工業用殺菌組成物１００重量部に対して０．１〜２０重量部添加される。
【００３５】
防腐剤、共力剤としては、例えば、２，２−ジブロモ−２−ニトロエタノール、２−ブロモ−２−ニトロプロパン−１，３−ジオールなどのニトロアルコール系化合物、例えば、５−クロロ−２−メチル−４−イソチアゾリン−３−オン、２−メチル−４−イソチアゾリン−３−オン、１，２−ベンズイソチアゾリン−３−オンなどのイソチアゾリン系化合物などが挙げられる。これら防腐剤および共力剤は、単独で用いてもよく、２種以上併用してもよい。
【００３６】
また、これら防腐剤および共力剤は、例えば、本発明の工業用殺菌組成物１００重量部に対して０．１〜２０重量部添加される。
【００３７】
このようにして得られる本発明の工業用殺菌組成物は、細菌、かび、酵母、藻、とりわけ、かびおよび藻などの微生物に対する優れた防除効果を有し、かつ、熱安定性に優れるとともに、粉立ち性が少なく、流動性が向上するので、安全性や取扱い性の向上を図ることができる。そのため、防かび剤、防藻剤などの工業用殺菌剤として、例えば、製紙パルプ工場、冷却水循環工程などの種々の産業用水や、切削油などの金属加工用油剤、カゼイン、澱粉糊、にかわ、塗工紙、紙用塗工液、表面サイズ剤、塗料、接着剤、合成ゴムラテックス、インキ、ポリビニルアルコールフィルム、塩化ビニルフィルム、樹脂製品、セメント混和剤、シーリング剤、目地剤などの各種の工業製品に適用することができる。
【００３８】
とりわけ、本発明の工業用殺菌組成物は、例えば、水性のりを用いるフィルムや壁紙接着、あるいは、建材用のコーキングやシーリングなどに好適に用いることができる。
【００３９】
なお、本発明の工業用殺菌組成物は、その適用対象に応じて添加量を適宜決定すればよいが、約０．００５〜５重量％、好ましくは、０．０１〜２重量％程度の有効成分（ヨウ素系化合物）濃度として作用させることが好ましい。
【００４０】
【実施例】
以下に実施例を挙げ、本発明をより具体的に説明する。なお、以下の説明において、３−ヨード−２−プロピニルブチルカルバメートは、ＩＰＢＣの略号で表記している。
【００４１】
（１）工業用殺菌組成物の調製
実施例１
ＩＰＢＣ（商品名：プリベントールＭＰ−１００、バイエル社製、純度９９重量％）５０．０ｇ、タルク（アルミナ含有量０．９５重量％、商品名：シムゴン、日本タルク社製）５０．０ｇを、カッターミル（ダンシングアジテータ、エスエムテーカンパニー社製）に投入し、１２０００〜１５０００回転／分の回転数で３０秒間の混合粉砕を３回繰り返すことにより、工業用殺菌組成物を得た。
【００４２】
実施例２
ＩＰＢＣ（商品名：プリベントールＭＰ−１００、バイエル社製、純度９９重量％）５０．０ｇ、タルク（アルミナ含有量０．９５重量％、商品名：シムゴン、日本タルク社製）４９．５ｇ、ジアルキルスルホコハク酸ナトリウム（ジアルキルスルホコハク酸ナトリウム６０重量％とイソパラフィン系炭化水素溶剤４０重量％との混合物、商品名：ニューカルゲンＥＰ−６０Ｐ、竹本油脂社製）０．５ｇを、カッターミル（ダンシングアジテータ、エスエムテーカンパニー社製）に投入し、１２０００〜１５０００回転／分の回転数で３０秒間の混合粉砕を３回繰り返すことにより、工業用殺菌組成物を得た。
【００４３】
実施例３
ジアルキルスルホコハク酸ナトリウムの代わりに、アニオン系界面活性剤として、アルキルナフタレンスルホン酸ナトリウム（商品名：ニューカルゲンＢＸ−Ｃ、竹本油脂社製）０．５ｇを用いた以外は、実施例２と同様の材料および操作により、工業用殺菌組成物を得た。
【００４４】
比較例１
ＩＰＢＣ（商品名：プリベントールＭＰ−１００、バイエル社製、純度９９重量％）５０．０ｇ、タルク（アルミナ含有量１６．２８重量％、三立タルク、三立鉱業社製）５０．０ｇを用いて、実施例１と同様の操作により、工業用殺菌組成物を得た。
【００４５】
比較例２
ＩＰＢＣ（商品名：プリベントールＭＰ−１００、バイエル社製、純度９９重量％）５０．０ｇ、ホワイトカーボン（商品名：トクシールＧＵ−Ｎ、トクヤマ社製）５０．０ｇを用いて、実施例１と同様の操作により、工業用殺菌組成物を得た。
【００４６】
比較例３
ＩＰＢＣ（商品名：プリベントールＭＰ−１００、バイエル社製、純度９９重量％）５０．０ｇ、炭酸カルシウム（宮城石灰工業社製）５０．０ｇを用いて、実施例１と同様の操作により、工業用殺菌組成物を得た。
【００４７】
比較例４
ＩＰＢＣ（商品名：プリベントールＭＰ−１００、バイエル社製、純度９９重量％）５０．０ｇ、クレー（商品名：Ａ−３０００クレー、フバサミクレー社製）５０．０ｇを用いて、実施例１と同様の操作により、工業用殺菌組成物を得た。
【００４８】
（２）熱安定性試験
各実施例および各比較例の工業用殺菌組成物を試料として、この試料をガラス瓶に入れ、５０℃または６０℃の恒温槽にて２週間静置後、外観を目視にて観察するとともに、ＩＰＢＣの含有量を高速液体クロマトグラフィー（ＨＰＬＣ）で測定し、ＩＰＢＣの残存率を求めた。その結果を表１に示す。
【００４９】
（３）流動性試験
農薬登録検査法（農薬検査所報告第２１号  ６４〜７０頁（１９８１年）、同第２２号  ５８〜６１頁（１９８２年））の流動性試験に準拠して、各実施例および各比較例の工業用殺菌組成物を試料として、この試料２０ｇを、バイブレータの網（１６メッシュ）付の円筒に入れ、バイブレータの振動で試料が装置の網部から落下し終わるまでの時間を測定した。その結果を表１に示す。
【００５０】
（４）粉立ち性試験
各実施例および各比較例の工業用殺菌組成物を試料として、この試料１０ｇをガラス瓶に入れて上下に振盪し、粉立ちの程度の多少を目視で観察した。その結果を表１に示す。
【００５１】
（５）ブロッキング（凝集）性試験
各実施例および各比較例の工業用殺菌組成物を試料として、この試料約１０ｇを入れたポリビーカー（直径５０ｍｍ）を、４０℃、湿度１００％のデシケータ中に入れて、４週間静置後、外観およびブロッキングの程度を目視により観察した。その結果を表１に示す。
【００５２】
【表１】
2004161663.tif 000002
（６）参考例
参考例１
ＩＰＢＣ（商品名：プリベントールＭＰ−１００、バイエル社製、純度９９重量％）５０．０ｇ、タルク（アルミナ含有量０．９５重量％、商品名：シムゴン、日本タルク社製）４５．０ｇ、活性アルミナ（和光純薬工業社製）試薬５．０ｇを、カッターミル（ダンシングアジテータ、エスエムテーカンパニー社製）に投入し、１２０００〜１５０００回転／分の回転数で３０秒間の混合粉砕を３回繰り返すことにより、工業用殺菌組成物を得た。
【００５３】
参考例２
ＩＰＢＣ（商品名：プリベントールＭＰ−１００、バイエル社製、純度９９重量％）５０．０ｇ、タルク（アルミナ含有量０．９５重量％、商品名：シムゴン、日本タルク社製）４０．０ｇ、活性アルミナ（和光純薬工業社製）試薬１０．０ｇを、カッターミル（ダンシングアジテータ、エスエムテーカンパニー社製）に投入し、１２０００〜１５０００回転／分の回転数で３０秒間の混合粉砕を３回繰り返すことにより、工業用殺菌組成物を得た。
【００５４】
参考例３
ＩＰＢＣ（商品名：プリベントールＭＰ−１００、バイエル社製、純度９９重量％）５０．０ｇ、タルク（アルミナ含有量０．９５重量％、商品名：シムゴン、日本タルク社製）３０．０ｇ、活性アルミナ（和光純薬工業社製）試薬２０．０ｇを、カッターミル（ダンシングアジテータ、エスエムテーカンパニー社製）に投入し、１２０００〜１５０００回転／分の回転数で３０秒間の混合粉砕を３回繰り返すことにより、工業用殺菌組成物を得た。
【００５５】
参考例４
ＩＰＢＣ（商品名：プリベントールＭＰ−１００、バイエル社製、純度９９重量％）５０．０ｇ、活性アルミナ（和光純薬工業社製）試薬５０．０ｇを、カッターミル（ダンシングアジテータ、エスエムテーカンパニー社製）に投入し、１２０００〜１５０００回転／分の回転数で３０秒間の混合粉砕を３回繰り返すことにより、工業用殺菌組成物を得た。
【００５６】
熱安定性試験
各参考例の工業用殺菌組成物を試料として、この試料をガラス瓶に入れ、６０℃の恒温槽にて２週間静置後、外観を目視にて観察するとともに、ＩＰＢＣの含有量を高速液体クロマトグラフィー（ＨＰＬＣ）で測定し、ＩＰＢＣの残存率を求めた。その結果を表２に示す。
【００５７】
【表２】
2004161663.tif 000003
表２から明らかなように、タルクおよびアルミナの合計１００重量％に対するアルミナの含有量が１１重量％を超える参考例２、３、４におけるＩＰＢＣの残存率に比べて、タルクおよびアルミナの合計１００重量％に対するアルミナの含有量が１１重量％以下の参考例１のＩＰＢＣの残存率が高いことがわかる。
【００５８】
なお、参考例１、２、３の工業用殺菌組成物は、本発明の工業用殺菌組成物にさらに活性アルミナが配合されている態様である。
【００５９】
【発明の効果】
以上述べたように、本発明の工業用殺菌組成物は、ヨウ素系化合物の熱安定性が向上し、また、粉立ちが少なく流動性が向上するので、安全性や取扱い性の向上を図ることができる。